(57)【要約】【課題】使用環境に応じて様々なアクセサリを取付けることができるテレビレンズ装置を提供する。【解決手段】テレビレンズ装置で、レンズ鏡筒と、該レンズ鏡筒を覆うカバーと、アクセサリを取付けるための取付手段と、前記カバーの内側に前記取付手段を収納するための収納部と、を有する。【選択図】図５
2019095622.tif 000002
【特許請求の範囲】
【請求項１】
レンズ鏡筒と、
該レンズ鏡筒を覆うカバーと、
アクセサリを取付けるための取付手段と、
前記カバーの内側に前記取付手段を収納するための収納部と、
を有することを特徴とするテレビレンズ装置。
【請求項２】
前記取付手段は、
テレビレンズ装置本体に対する相対的な位置関係を調整するための位置調整手段と、
該位置調整手段の位置を固定するための位置固定手段と、
を有することを特徴とする請求項１に記載のテレビレンズ装置。
【請求項３】
前記取付手段は、
テレビレンズ装置本体に対する相対的な角度関係を調整するための角度調整手段と、
該角度調整手段の角度を固定するための角度固定手段と、
を有することを特徴とする請求項１または２に記載のテレビレンズ装置。
【請求項４】
前記角度調整手段は、菊座形状を備えることを特徴とする請求項３に記載のテレビレンズ装置。
【発明の詳細な説明】
【技術分野】
【０００１】
本発明はテレビレンズ装置に関し、特にアクセサリを取付けることができるテレビレンズ装置に関するものである。
【背景技術】
【０００２】
放送用テレビレンズ装置は、様々な撮影環境で用いられており、その環境は屋内ではスタジオ・ドーム、屋外ではスタジアム・ゴルフ場などに代表されるように、多岐に渡る。そのため、使用者は撮影環境に応じて、テレビレンズ装置に所望のアクセサリを併せて構成することがある。特許文献１では、直射日光によるレンズ装置の内部温度上昇を防ぐために、レンズ装置に着脱自在な日除けカバーが開示されている。
【先行技術文献】
【特許文献】
【０００３】
【特許文献１】特開２０１３−１５６４４１号公報
【発明の概要】
【発明が解決しようとする課題】
【０００４】
しかしながら、上述の特許文献に開示された従来技術は、屋外における限定的な環境において効果を発揮するアクセサリを取付けることはできるが、様々な環境に適用できる技術ではない。つまり、従来は、レンズメーカが用意したアクセサリの取付方法は提供されているが、サードパーティーが用意した様々なアクセサリの取付方法は考慮されていない。
【０００５】
その一方で、実運用において、テレビレンズ装置は、屋内から屋外まで様々な場所で用いられる装置である。そのため、各環境に応じて使用者が所望する、サードパーティーが用意したマイクやライトなど多くの製品を取付けられることが求められている。
【０００６】
本発明の目的は、使用環境に応じて様々なアクセサリを取付けることができるテレビレンズ装置を提供することである。
【課題を解決するための手段】
【０００７】
上記目的を達成するために、本発明に係るテレビレンズ装置は、レンズ鏡筒と、該レンズ鏡筒を覆うカバーと、アクセサリを取付けるための取付手段と、前記カバーの内側に前記取付手段を収納するための収納部と、を有することを特徴とする。
【発明の効果】
【０００８】
本発明によれば、テレビレンズ装置にアクセサリ取付手段を収納することで、使用環境に応じて様々なアクセサリを取付けることができるテレビレンズ装置を提供することができる。
【図面の簡単な説明】
【０００９】
【図１】本発明の実施形態に係るテレビレンズ装置１０１の構成を示す説明図
【図２】第１の実施形態におけるカバー１０２の内側の構成を示す説明図
【図３】第１の実施形態における収納部１０５を開いた構成を示す説明図
【図４】第１の実施形態における収納部１０５を開放端まで十分に開いた構成を示す説明図
【図５】マイク１８を取付けたテレビレンズ装置１０１を示す説明図
【図６】第２の実施形態におけるカバー１０２の内側の構成を示す説明図
【図７】第２の実施形態における収納部１０５を開いた構成を示す説明図
【図８】第２の実施形態における収納部１０５を開放端まで十分に開いた構成を示す説明図
【図９】第２の実施形態におけるライト２３を取付けたテレビレンズ装置２０１を示す説明図
【発明を実施するための形態】
【００１０】
以下に、本発明の好ましい実施の形態を、添付の図面に基づいて詳細に説明する。
【００１１】
（第１の実施形態）
図１乃至図５を参照して、本発明の第１の実施形態に係るテレビレンズ装置について説明する。図１に基づいて、カバー１０２とレンズ鏡筒１０３から構成されているテレビレンズ装置１０１を詳細に説明する。図１（ａ）にテレビレンズ装置１０１を、図１（ｂ）にカバー１０２を、図１（ｃ）にレンズ鏡筒１０３を、図１（ｄ）にテレビレンズ装置１０１のフォーカス部１０のＡ−Ａ断面図を、図１（ｅ）にテレビレンズ装置１０１のズーム部１１のＢ−Ｂ断面図を示す。
【００１２】
テレビレンズ装置１０１は、カバー１０２がレンズ鏡筒１０３を覆っており、レンズ鏡筒１０３とカバー１０２は組み合わせて一体となった状態で使用する。レンズ鏡筒１０３は、フォーカス部１０とズーム部１１からなっており、その径は一般にズーム部１１よりフォーカス部１０の方が大きい。そのため、一体となった状態におけるカバー内側の空間は、ズーム部１１があるＢ−Ｂ断面側の方が大きい。
【００１３】
図２に基づいて、テレビレンズ装置１０１におけるカバー１０２とその内側の構成について、詳細に説明する。図２（ａ）にテレビレンズ装置１０１を、図２（ｂ）にテレビレンズ装置１０１のＣ−Ｃ断面図を示す。カバー１０２の内側には、アクセサリを取付けるための取付手段としてのレール機構１０４と、レール機構１０４を収納するための収納部１０５がある。
【００１４】
レール機構１０４は、テレビレンズ装置に対する相対的な位置関係を調整するための位置調整手段としてのレール１０６・位置調整手段の位置を固定するための位置固定手段としてのレール位置固定ネジ１０７・レール取付部材１６・バンド１７から構成されている。レール１０６は、レール取付部材１６を介して収納部１０５に取り付けられている。レール取付部材１６は、収納部１０５に取付けることができればよく、接着剤・両面テープ・ボルトなど、公知の手段で構わない。
【００１５】
収納部１０５は、開口カバー１２・ヒンジ部１３・カバー留め具１４・収納空間１５から構成されている。開口カバー１２は、カバー１０２にヒンジ部１３を介して開閉可能に取り付けられており、カバー留め具１４によりロックすることができる。カバー留め具１４は、ロック状態が維持できるフック・磁石など、公知の手段で構わない。また、収納部１０５の配置は、レール機構１０４が収納できる空間が確保できる範囲で、カバー１０２の内側であれば構わない。
【００１６】
図３から図５に基づいて、アクセサリの取付方法について説明をする。本実施形態では、アクセサリの一例としてマイクを挙げ、マイク１８の取付方法について述べる。まず初めに図３に示すように、開口カバー１２を開け、レール機構１０４をカバー内部から取り出す。次に図４が示すように、開口カバー１２を開放端まで十分に開き、レール機構１０４がテレビレンズ装置の底面に配置されるようにする。この際、開口カバー１２の底面への取付けは、取付ビスや磁石などの公知の手段を用いる。
【００１７】
最後に図５に示すように、バンド１７を用いて、マイク１８をレール１０６に取付け、レール１０６を光軸方向に動かしながらマイク１８の取付位置の調整を行う。調整が終わった時点で、レール位置固定ネジ１０７を用いて、レールの動きを止め、マイク１８の位置を決定する。
【００１８】
マイク１８に代表されるアクセサリは、様々な形状が考えられる。したがって、バンド１７は、様々な形状のアクセサリを取付けることができればよく、ゴムバンドやクランプなど、アクセサリをレール機構１０４に確実に固定することができればよい。
【００１９】
図２・図５に基づいて、本実施形態の効果について詳細に説明をする。まず、収納部１０５の収納時の状態について、図２を用いて述べる。収納時、レール機構１０４は収納部１０５に十分に収納され、開口カバー１２は閉じている状態であるので、レール機構１０４を使用しない場合であっても、邪魔になることはない。収納部１０５の配置は、図２（ａ）におけるＣ−Ｃ断面付近であり、図１（ｄ）におけるＡ−Ａ断面付近よりも収納空間１５を大きく確保することができる。そのため、アクセサリが収納空間１５に収まる大きさであれば、アクセサリを収納部１０５に納めることができ、テレビレンズ装置１０１の利便性を向上させることができる。
【００２０】
次に、収納部１０５の使用時の状態について、図５を用いて述べる。使用時、アクセサリはレール１０６に取付けられ、光軸方向に位置を調整することができる。よって、アクセサリの形状や機能に応じて取付位置を最適化することができる。例えば、マイク１８を可能な限り被写体によせて使用したい場合、テレビレンズ装置１０１の光線にマイク１８が被り、被写体の影になることのない範囲を調整しながら、前玉方向にマイク１８の位置を調整することができる。マイク１８を可能な限り被写体から遠ざけて使用したい場合、テレビレンズ装置１０１と共に用いる三脚との干渉を避けながらマイク１８の位置を調整することができる。
【００２１】
このように本実施形態により、アクセサリを取付けるための取付手段としてのレール機構１０４を用いて、アクセサリとテレビレンズ装置１０１の相対的な位置関係を自由に調整することができる。したがって、テレビレンズ装置１０１における収納部１０５の配置場所によらず、使用者がアクセサリの位置を、撮影環境やアクセサリに応じて自由に調整することができ、テレビレンズ装置１０１の利便性を大きく向上することができる。
【００２２】
さらに、レール機構１０４を使用しないときは、光学装置１０１の中にレール機構１０４を十分に収納できるので、使用しない時や輸送時に邪魔になることはない。
【００２３】
以上の構成によって、テレビレンズ装置にアクセサリ取付手段を収納することで、テレビレンズ装置の使用環境に応じてアクセサリ取付手段を提供することができる。
【００２４】
本実施形態では、アクセサリを取付けるための取付手段として、レール機構について示したが、２軸や３軸に自由自在に可動するアームを用いたアーム機構や菊座など、収納部１０５の中に納まる大きさの取付手段であれば、同様の効果を得ることができる。
【００２５】
（第２の実施形態）
以下、図６を参照して、本発明の第２の実施形態に係るテレビレンズ装置について説明する。なお、本実施形態では、第１の実施形態と異なるテレビレンズ装置２０１と、レール機構１０４と異なるアーム機構２０２について説明を行い、その他同一の部分については同一の符号を付し、説明を行う。
【００２６】
図６に基づいて、テレビレンズ装置２０１におけるカバー１０２とその内側の構成について詳細に説明する。図６（ａ）にテレビレンズ装置２０１を、図６（ｂ）にテレビレンズ装置２０１のＧ−Ｇ断面図を示す。カバー２０１の内側には、アクセサリを取付けるための取付手段としてのアーム機構２０２と、アーム機構２０２を収納するための収納部１０５がある。
【００２７】
図７に基づいて、アーム機構２０２について詳細に説明する。アーム機構２０２は、テレビレンズ装置に対する相対的な角度関係を調整するための角度調整手段としての第一の菊座２０３・テレビレンズ装置に対する相対的な角度関係を調整するための角度調整手段としての第二の菊座２０４・角度調整手段の角度を固定するための角度固定手段としての第一の菊座の固定ネジ２０５・角度調整手段の角度を固定するための角度固定手段としての第二の菊座の固定ネジ２０６・バンド１７・菊座取付部材２０・第一のアーム２１・第二のアーム２２から構成されている。
【００２８】
第一の菊座２０３は、菊座取付部材２０を介して収納部１０５に取り付けられている。菊座取付部材２０は、収納部１０５に取付けることができればよく、接着剤・両面テープ・ボルトなど、公知の手段で構わない。第一の菊座２０３を収納部１０５に直接取付けることが可能であれば、菊座取付部材２０は省略することができる。
【００２９】
図６から図９に基づいて、アクセサリの取付方法について説明をする。本実施形態では、アクセサリの一例としてライト２３を挙げ、ライト２３の取付方法について述べる。まず初めに、図７に示すように、開口カバー１２を開け、アーム機構２０２をカバー内部から取り出す。次に、開口カバー１２を開放端まで十分に開き、アーム機構２０２がテレビレンズ装置の底面に配置されるようにする。この際、開口カバー１２を底面に取付けは、取付ビスや磁石などの公知の手段を用いる。
【００３０】
アーム機構２０２は、収納部１０５の内部に納められていたので、図７が示すように畳まれた状態になっている。図８が示すようにアクセサリを取付けることができる状態にするために、第一の菊座の固定ネジ２０５と第二の菊座の固定ネジ２０６を緩めて第一の菊座２０３と第二の菊座２０４の角度を調整しながら、第一のアーム２１と第二のアーム２２のテレビレンズ装置２０１に対する相対的な角度を調整する。最後に、図９に示すように、バンド１７を用いてライト２３を第二のアーム２２に取付ける。
【００３１】
図９に基づいて、本実施形態の効果について詳細に説明をする。使用時、アクセサリはアーム機構２０２に取付けられ、テレビレンズ装置２０１に対して相対的な角度を調整することができる。よって、アクセサリの形状や機能に応じて取付角度を最適化することができる。例えば、使用者がライト２３を被写体に当てながら撮影を行いたい場合、所望する光の当て方を調整しながらライト２３の角度を調整することができる。また、使用者の足元を明るくしたい場合、足元に明かりがあたるようにライト２３の角度を調整することができる。
【００３２】
上述した実施形態により、アクセサリを取付けるための取付手段としてのアーム機構２０２を用いて、アクセサリとテレビレンズ装置２０１の相対的な角度関係を自由に調整することができる。したがって、テレビレンズ装置２０１における収納部１０５の配置場所によらず、使用者がアクセサリの位置を、撮影環境やアクセサリに応じて自由に調整することができ、テレビレンズ装置２０１の利便性を大きく向上することができる。さらに、アーム機構２０２を使用しないときは、テレビレンズ装置２０１の中にアーム機構２０２を十分に収納できるので、使用しない時や輸送時に邪魔になることはない。
【００３３】
以上の構成によって、テレビレンズ装置にアクセサリ取付手段を収納することで、テレビレンズ装置の使用環境に応じてアクセサリ取付手段を提供することができる。
【００３４】
以上、本発明の好ましい実施形態について説明したが、本発明はこれらの実施形態に限定されず、その要旨の範囲内で種々の変形及び変更が可能になる。
【符号の説明】
【００３５】
１０１テレビレンズ装置
１０２カバー
１０３レンズ鏡筒
１０４レール機構
１０５収納部
１０６レール
１０７レール位置固定ネジ
２０１テレビレンズ装置
２０２アーム機構
２０３第一の菊座
２０４第二の菊座
２０５第一の菊座の固定ネジ
２０６第二の菊座の固定ネジ
１０フォーカス部
１１ズーム部
１２開口カバー
１３ヒンジ部
１４カバー留め具
１５収納空間
１６レール取付部材
１７バンド
１８マイク
２０菊座取付部材
２１第一のアーム
２２第二のアーム
２３ライト
【図１】
2019095622.tif 000003
【図２】
2019095622.tif 000004
【図３】
2019095622.tif 000005
【図４】
2019095622.tif 000006
【図５】
2019095622.tif 000007
【図６】
2019095622.tif 000008
【図７】
2019095622.tif 000009
【図８】
2019095622.tif 000010
【図９】
2019095622.tif 000011